(57)【要約】      （修正有）【課題】画像の読み取り又は複写可能な領域の指定を容易かつ確実に行うことが可能な用紙を提供する。さらに、このような用紙を原稿とし、画像の読み取り又は複写を指定された領域に対して確実に行うことが可能な画像読取装置及び画像読取形成装置を提供する。さらに、原稿を作成することが可能な画像形成装置を提供する。【解決手段】用紙に形成された画像の部分的な読み取り又は複写が禁止又は許可される領域を示す領域情報が電子的に書き込まれたＲＦＩＤタグＴが付設されている用紙Ｓ。ＲＦリーダが読取禁止領域情報を読み出した場合、読取禁止領域情報が示す領域以外の原稿の画像を読み取った画像データのみを取得する。【選択図】図１
2007311982.tif 000002
【特許請求の範囲】
【請求項１】
当該用紙に形成された画像の部分的な読み取りが禁止又は許可される領域を示す領域情報が電子的に書き込まれた記憶媒体が付設されていることを特徴とする用紙。
【請求項２】
当該用紙に形成された画像の部分的な複写が禁止又は許可される領域を示す領域情報が電子的に書き込まれた記憶媒体が付設されていることを特徴とする用紙。
【請求項３】
原稿の画像を読み取り画像データを取得する画像データ取得手段と、
前記原稿に付設されている記憶媒体から無線通信により情報を読み出す読出手段と、を備え、
前記読出手段が読取禁止領域情報を読み出した場合、前記画像データ読取手段は前記読取禁止領域情報が示す領域以外の原稿の画像を読み取った画像データのみを取得することを特徴とする画像読取装置。
【請求項４】
原稿の画像を読み取り画像データを取得する画像データ取得手段と、
前記原稿に付設されている記憶媒体から無線通信により情報を読み出す読出手段と、を備え、
前記読出手段が読取許可領域情報を読み出した場合、前記画像データ読取手段は前記読取許可領域情報が示す領域の原稿の画像を読み取った画像データのみを取得することを特徴とする画像読取装置。
【請求項５】
原稿の画像を読み取り画像データを取得する画像データ取得手段と、
前記原稿に付設されている記憶媒体から無線通信により情報を読み出す読出手段と、
前記画像データ取得手段が取得した画像データに基づく画像を用紙に形成する画像形成手段と、を備え、
前記読出手段が複写禁止領域情報を読み出した場合、前記画像形成手段は、前記画像データ取得手段が取得した画像データに基づく画像を、前記複写禁止領域情報が示す領域以外についてのみ用紙に形成することを特徴とする画像読取形成装置。
【請求項６】
原稿の画像を読み取り画像データを取得する画像データ取得手段と、
前記原稿に付設されている記憶媒体から無線通信により情報を読み出す読出手段と、
前記画像データ取得手段が取得した画像データに基づく画像を用紙に形成する画像形成手段と、を備え、
前記読出手段が複写許可領域情報を読み出した場合、前記画像形成手段は、前記画像データ取得手段が取得した画像データに基づく画像を、前記複写許可領域情報が示す領域についてのみ用紙に形成することを特徴とする画像読取形成装置。
【請求項７】
用紙に画像を形成する画像形成手段と、
書込情報を受け付ける受付手段と、
前記用紙に付設される記憶媒体に無線通信により前記受付手段が受け付けた書込情報を書き込む書込手段と、を備え、
前記受付手段が、用紙に形成された画像の部分的な読み取りが禁止又は許可される領域を示す領域情報を受け付けることを特徴とする画像形成装置。
【請求項８】
用紙に画像を形成する画像形成手段と、
書込情報を受け付ける受付手段と、
前記用紙に付設される記憶媒体に無線通信により前記受付手段が受け付けた書込情報を書き込む書込手段と、を備え、
前記受付手段が、用紙に形成された画像の部分的な複写が禁止又は許可される領域を示す領域情報を受け付けることを特徴とする画像形成装置。
【発明の詳細な説明】
【技術分野】
【０００１】
本発明は、用紙、詳しくは無線通信により情報の読み出しが可能な記憶媒体が付設された用紙、並びに、画像読取装置及び画像読取形成装置、詳しくは原稿に付設された記憶媒体から無線通信により情報の読み出しが可能な画像記録装置及び画像形成装置、並びに、画像形成装置、詳しくは画像を形成する用紙に付設される記憶媒体に無線通信により情報の書き込みが可能な画像形成装置に関する。
【背景技術】
【０００２】
画像を記録した用紙に電子的に各種情報が書き込まれた記憶媒体を付設することにより、当該用紙に対する適正な利用や管理を記憶媒体から読み出した情報に基づき確実に行うことが可能となる。このような記憶媒体として、無線通信により情報が書き込み読み出されるＲＦＩＤ（Radio Frequency-Identification：電波方式認識）タグのＩＣチップを利用することが近年提案されている。
【０００３】
例えば、特許文献１に開示されている印刷画像処理システムは、画像が形成された用紙を仮想的に分割した多数の仮想分割領域にＲＦＩＤタグをそれぞれ１つずつ埋め込み、各ＲＦＩＤタグに当該ＲＦＩＤタグが埋め込まれた仮想分割領域に印刷された画像を読み取って出力することを禁止する出力禁止情報を記憶させることにより、画像の出力を禁止する領域を指定している。
【特許文献１】特開２００５−２４４８０２７号公報
【発明の開示】
【発明が解決しようとする課題】
【０００４】
しかしながら、特許文献１に開示されている印刷画像処理システムによれば、画像の出力を禁止する領域を指定するために、用紙の各仮想分割領域にＲＦＩＤタグをそれぞれ埋め込れる。そのため、１枚の用紙に多数のＲＦＩＤタグが埋め込む必要があるので、用紙のコストが非常に高価になるという問題があった。さらに、各仮想分割領域に埋め込まれたＲＦＩＤタグから読み出した出力禁止情報に基づいて、当該仮想分割領域の画像を読み取って得た画像データの処理を行うので、非常に煩雑かつ困難な処理動作を行う必要があるとともに、隣接する仮想分割領域との混同や仮想分割領域の境界が不明確となることにより、画像の出力を禁止する正確な領域を確実に指定することができないという問題があった。
【０００５】
本発明は、かかる課題に鑑みてなされたものであり、画像の読み取り又は複写可能な領域の指定を容易かつ確実に行うことが可能な用紙を提供することを目的とする。さらに、このような用紙を原稿とし、画像の読み取り又は複写を指定された領域に対して確実に行うことが可能な画像読取装置及び画像読取形成装置を提供することを目的とする。さらに、原稿を作成することが可能な画像形成装置を提供することを目的とする。
【課題を解決するための手段】
【０００６】
上記目的を達成するために、請求項１に記載の用紙は、当該用紙に形成された画像の部分的な読み取りが禁止又は許可される領域を示す領域情報が電子的に書き込まれた記憶媒体が付設されていることを特徴としている。
【０００７】
請求項２に記載の用紙は、当該用紙に形成された画像の部分的な複写が禁止又は許可される領域を示す領域情報が電子的に書き込まれた記憶媒体が付設されていることを特徴としている。
【０００８】
請求項３に記載の画像読取装置は、原稿の画像を読み取り画像データを取得する画像データ取得手段と、前記原稿に付設されている記憶媒体から無線通信により情報を読み出す読出手段と、を備え、前記読出手段が読取禁止領域情報を読み出した場合、前記画像データ読取手段は前記読取禁止領域情報が示す領域以外の原稿の画像を読み取った画像データのみを取得することを特徴としている。
【０００９】
請求項４に記載の画像読取装置は、原稿の画像を読み取り画像データを取得する画像データ取得手段と、前記原稿に付設されている記憶媒体から無線通信により情報を読み出す読出手段と、を備え、前記読出手段が読取許可領域情報を読み出した場合、前記画像データ読取手段は前記読取許可領域情報が示す領域の原稿の画像を読み取った画像データのみを取得することを特徴としている。
【００１０】
請求項５に記載の画像読取形成装置は、原稿の画像を読み取り画像データを取得する画像データ取得手段と、前記原稿に付設されている記憶媒体から無線通信により情報を読み出す読出手段と、前記画像データ取得手段が取得した画像データに基づく画像を用紙に形成する画像形成手段と、を備え、前記読出手段が複写禁止領域情報を読み出した場合、前記画像形成手段は、前記画像データ取得手段が取得した画像データに基づく画像を、前記複写禁止領域情報が示す領域以外についてのみ用紙に形成することを特徴としている。
【００１１】
請求項６に記載の画像読取形成装置は、原稿の画像を読み取り画像データを取得する画像データ取得手段と、前記原稿に付設されている記憶媒体から無線通信により情報を読み出す読出手段と、前記画像データ取得手段が取得した画像データに基づく画像を用紙に形成する画像形成手段と、を備え、前記読出手段が複写許可領域情報を読み出した場合、前記画像形成手段は、前記画像データ取得手段が取得した画像データに基づく画像を、前記複写許可領域情報が示す領域についてのみ用紙に形成することを特徴としている。
【００１２】
請求項７に記載の画像形成装置は、用紙に画像を形成する画像形成手段と、書込情報を受け付ける受付手段と、前記用紙に付設される記憶媒体に無線通信により前記受付手段が受け付けた書込情報を書き込む書込手段と、を備え、前記受付手段が、用紙に形成された画像の部分的な読み取りが禁止又は許可される領域を示す領域情報を受け付けることを特徴としている。
【００１３】
請求項８に記載の画像形成装置は、用紙に画像を形成する画像形成手段と、書込情報を受け付ける受付手段と、前記用紙に付設される記憶媒体に無線通信により前記受付手段が受け付けた書込情報を書き込む書込手段と、を備え、前記受付手段が、用紙に形成された画像の部分的な複写が禁止又は許可される領域を示す領域情報を受け付けることを特徴としている。
【発明の効果】
【００１４】
請求項１に記載の用紙によれば、当該用紙に形成された画像の部分的な読み取りが禁止又は許可される領域を示す領域情報が電子的に書き込まれた記憶媒体が付設されている。そのため、記憶媒体から領域情報を読み出すことによって、用紙に形成された画像の部分的な読み取りが禁止又は許可される領域を、当該用紙に形成された画像を読み取る装置に対して正確かつ確実に認識させることが可能となる。よって、用紙に形成された画像の読み取りが禁止される部分的な領域、又は許可される部分的な領域以外の領域の画像を前記装置が読み取ることを確実に防止することができるので、秘密管理を必要とする用紙の部分的な領域に形成された画像の漏洩を防止し、セキュリティの強化を柔軟に図ることが可能となる。例えば、用紙に形成された画像のうち機密情報や個人情報等の秘密管理を必要とする文字や図形等の画像のみの読み取りを禁止するとともに、それ以外の秘密管理を必要としない画像の読み取りを自由に行わせることができ、１枚の用紙において秘密管理を行う領域を読み取りが禁止される領域として部分的に自由に設定することが可能となる。
【００１５】
請求項２に記載の用紙によれば、当該用紙に形成された画像の部分的な複写が禁止又は許可される領域を示す領域情報が電子的に書き込まれた記憶媒体が付設されている。そのため、記憶媒体から領域情報を読み出すことによって、用紙に形成された画像の部分的な複写が禁止又は許可される領域を、当該用紙に形成された画像を複写する装置に対して正確かつ確実に認識させることが可能となる。よって、用紙に形成された画像の複写が禁止される部分的な領域、又は許可される部分的な領域以外の領域の画像を前記装置が複写することを確実に防止することができるので、秘密管理を必要とする用紙の部分的な領域に形成された画像の漏洩を防止し、セキュリティの強化を柔軟に図ることが可能となる。例えば、用紙に形成された画像のうち機密情報や個人情報等の秘密管理を必要とする文字や図形等の画像のみの複写を禁止するとともに、それ以外の秘密管理を必要としない画像の複写を自由に行わせることができ、１枚の用紙において秘密管理を行う領域を複写が禁止される領域として部分的に自由に設定することが可能となる。
【００１６】
請求項３に記載の画像読取装置によれば、読出手段が原稿に付設されている記憶媒体から読取禁止領域情報を読み出した場合、画像データ読取手段は読取禁止領域情報が示す領域以外の原稿の画像を読み取った画像データのみを取得する。そのため、読み取りが禁止される部分的な原稿の領域に形成された画像を読み取った画像データを自動的にかつ確実に取得しない。よって、秘密管理を必要とする原稿の部分的な領域に形成された画像の漏洩を防止し、セキュリティの強化を柔軟に図ることが可能となる。
【００１７】
請求項４に記載の画像読取装置によれば、読出手段が原稿に付設されている記憶媒体から読取許可領域情報を読み出した場合、画像データ読取手段は読取許可領域情報が示す領域の原稿の画像を読み取った画像データのみを取得する。そのため、読み取りが許可される部分的な原稿の領域以外の領域に形成された画像を読み取った画像データを自動的にかつ確実に取得しない。よって、秘密管理を必要とする原稿の部分的な領域に形成された画像の漏洩を防止し、セキュリティの強化を柔軟に図ることが可能となる。
【００１８】
請求項５に記載の画像読取形成装置によれば、読出手段が原稿に付設されている記憶媒体から複写禁止領域情報を読み出した場合、画像形成手段は、画像データ取得手段が当該原稿の画像を読み取って取得した画像データに基づく画像を、複写禁止領域情報が示す領域以外についてのみ用紙に形成する。そのため、読み取りが禁止される部分的な原稿の領域に形成された画像を読み取って取得した画像データに基づく画像を自動的にかつ確実に用紙に形成しない。よって、秘密管理を必要とする原稿の部分的な領域に形成された画像の漏洩を防止し、セキュリティの強化を柔軟に図ることが可能となる。
【００１９】
請求項６に記載の画像読取形成装置によれば、読出手段が原稿に付設されている記憶媒体から複写許可領域情報を読み出した場合、画像形成手段は、画像データ取得手段が当該原稿の画像を読み取って取得した取得した画像データに基づく画像を、複写許可領域情報が示す領域についてのみ用紙に形成する。そのため、読み取りが許可される部分的な原稿の領域以外の領域に形成された画像を読み取って取得した画像データに基づく画像を自動的にかつ確実に用紙に形成しない。よって、秘密管理を必要とする原稿の部分的な領域に形成された画像の漏洩を防止し、セキュリティの強化を柔軟に図ることが可能となる。
【００２０】
請求項７に記載の画像形成装置によれば、用紙に形成された画像の部分的な読み取りが禁止又は許可される領域を示す領域情報を受付手段が受け付け、受付手段が受け付けた領域情報を書込情報として画像形成手段が画像を形成する用紙に付設される記憶媒体に書込手段が書き込む。そのため、用紙に画像を形成するとともに、当該用紙に形成された画像の部分的な読み取りが禁止又は許可される領域を示す領域情報を記憶媒体に書込手段が書き込むことができる。従って、秘密管理を必要とする用紙の部分的な領域に形成された画像の漏洩を防止し、セキュリティの強化を柔軟に図ることが可能となる用紙（原稿）を容易に作成することが可能となる。
【００２１】
請求項８に記載の画像形成装置によれば、用紙に形成された画像の部分的な複写が禁止又は許可される領域を示す領域情報を受付手段が受け付け、受付手段が受け付けた領域情報を書込情報として画像形成手段が画像を形成する用紙に付設される記憶媒体に書込手段が書き込む。そのため、用紙に画像を形成するとともに、当該用紙に形成された画像の部分的な複写が禁止又は許可される領域を示す領域情報を記憶媒体に書込手段が書き込むことができる。従って、秘密管理を必要とする用紙の部分的な領域に形成された画像の漏洩を防止し、セキュリティの強化を柔軟に図ることが可能となる用紙（原稿）を容易に作成することが可能となる。
【発明を実施するための最良の形態】
【００２２】
以下、本発明の実施の形態に係る用紙Ｓについて、図面に基づき説明する。用紙Ｓは、文字や図形等の画像が形成されており、図１に示すように、その一端部（図においては左上端部）近傍にＲＦＩＤ（Radio Frequency-Identification：電波方式認識）タグＴが埋込（漉込）や付着等により付設されている。ＲＦＩＤタグＴは、その詳細を図示しないが、超小型のＩＣ（集積回路）チップと、無線通信用のコイル状のアンテナと、から構成されており、ＩＣチップは、記憶部（記憶媒体）、電源整流部、送信部、受信部等を備えている。ＲＦＩＤタグＴの記憶部には、当該ＲＦＩＤタグＴが付設された用紙に関する情報が電子的に書き込まれている。
【００２３】
ＲＦＩＤタグＴの記憶部に書き込まれた情報として、読取禁止領域情報、読取許可領域情報、複写禁止領域情報、及び複写許可領域情報を含む領域情報がある。これらの領域情報は、それぞれ用紙に形成された画像の読み取りが禁止あるいは許可、又は画像の複写が禁止あるいは許可される領域を示す情報である。具体的には、ＲＦＩＤタグＴが付設された近傍の角部を原点として、その幅方向（Ｘ軸方向）及び縦方向（Ｙ軸方向）の対角点の座標（例えばｍｍ単位）を示す情報により領域を特定する。例えば、ＳＣＡＮ＿ＦＯＲＢＩＤ＿ＡＲＥＡ（Ｘ１，Ｙ１，Ｘ２，Ｙ２）との情報は、点Ｐ１（Ｘ１，Ｙ１）と点Ｐ２（Ｘ２，Ｙ２）を対角点とする矩形領域内が読取禁止であることを示す。また、領域情報は、予め規定された領域のパターンを特定する情報であってもよい。例えば、ＳＣＡＮ＿ＦＯＲＢＩＤ＿ＡＲＥＡ１との情報が、点（５０，５０）を中心とする半径３０の円形内が読取禁止であることを示すとして予め規定されている。
【００２４】
また、領域情報は、１つのＲＦＩＤタグＴに複数あってもよく、その種類が混在するものであってもよい。さらに、ＲＦＩＤタグＴの記憶部に書き込まれる情報として、用紙のサイズ（Ａ４サイズやＢ３サイズ等）を示すサイズ情報が含まれるものであることが好ましい。サイズ情報が示す用紙サイズを最大の領域とすることにより、読み取りや複写の対象となる領域を特定することが可能となる。
【００２５】
また、ＲＦＩＤタグＴの記憶部に書き込まれた情報には、用紙に関する情報として、原稿自体の利用が特定される旨を示す利用特定情報（複写禁止、社外秘等）、原稿を読み取る際の読取モード、原稿名、原稿の作成元に係る情報（例えば、会社名、部署名、作成者名等）などの情報も含まれ得る。
【００２６】
以上説明したように、この用紙Ｓによれば、ＲＦＩＤタグＴから領域情報を読み出すことによって、用紙Ｓに形成された画像の部分的な読み取りや複写が禁止又は許可される領域を、用紙Ｓに形成された画像を読み取る装置や複写する装置に対して正確かつ確実に認識させることが可能となる。よって、用紙Ｓに形成された画像の読み取りや複写が禁止される部分的な領域、又は許可される部分的な領域以外の領域の画像をこれらの装置が読み取ることや複写することを確実に防止することができるので、秘密管理を必要とする用紙Ｓの部分的な領域に形成された画像の漏洩を防止し、セキュリティの強化を柔軟に図ることが可能となる。
【００２７】
なお、本実施の形態で示した用紙Ｓは、本発明に係る用紙の一態様にすぎず、本発明の要旨を逸脱しない範囲内で種々の変形実施が可能である。例えば、１枚の用紙Ｓに１つのＲＦＩＤタグＴが付設されている場合の例を示したが、１枚の用紙に複数のＲＦＩＤタグが付設されている場合であってもよい。この場合には、用紙の基準となる角部を特定する情報をＲＦＩＤタグの記憶部に書き込むことが必要となる。
【００２８】
以下、用紙Ｓを原稿とするに適した本発明の実施の形態に係る画像読取装置及び画像読取形成装置、並びに用紙Ｓを形成するに適した本発明の実施の形態に係る画像形成装置を重畳的に装備するＭＦＰ（Multiple Functional Peripheral：多機能周辺機器）１００について、図面に基づき説明する。ＭＦＰ１００は、図２にそのブロック図を示すように、制御部（ＣＰＵ：Central Processing Unit）１、画像データ取得部２、画像メモリ３、ＲＦ（Radio Frequency）リーダ４、プリント用画像データ処理部５、イメージメモリ６、用紙供給部７、画像形成部８、ＲＦライタ９、操作部１０、表示部１１、ＲＯＭ（Read Only Memory）１２、ＲＡＭ（Random Access Memory）１３、モデム１４、ＮＣＵ（Network Control Unit）１５、及びＬＡＮ Ｉ／Ｆ（Local Area Network Interface）１６を備えたものであって、各部１乃至１６は、バス１７によって通信可能に接続されている。
【００２９】
このように構成されたＭＦＰ１００は、画像読取装置として、原稿の画像を読み取って画像データを取得する画像読取（スキャナ）機能を備えている。また、ＭＦＰ１００は、画像読取形成装置として、原稿の画像を読み取って得た画像データに基づく画像を用紙に形成する画像読取形成（複写、コピー）機能を備えている。また、ＭＦＰ１００は、画像形成装置として、画像を用紙に形成する画像形成（プリント）機能を備えている。
【００３０】
さらに、ＭＦＰ１００は、他の装置と画像データを送受信する送受信機能も備えている。具体的には、ＰＳＴＮ（Public Switched Telephone Network）２１を介して通信可能に接続されたファクシミリ装置２２と画像データを送受信するファクシミリ送受信機能、インターネット２３を介して通信可能に接続されたインターネットファクシミリ装置２４と画像ファイル（画像データ）として添付した電子メールを送受信する電子メール送受信機能、を備えている。そして、ＭＦＰ１００は、ファクシミリ装置２２やインターネットファクシミリ装置２４から受信した画像データに基づく画像を用紙に形成するとともに、ＬＡＮ（Local Area Network）２５を介して通信可能に接続されたクライアントＰＣ２６から転送されてきた画像データに基づく画像を用紙に形成する機能を備えている。
【００３１】
制御部１は、ＭＦＰ１００の各部の動作を制御する。
【００３２】
画像データ取得部２は、原稿の画像を読み取って画像データを取得し出力するものであり、読取ユニット２ａ、画像処理回路２ｂ及びコーデック（ＣＯＤＥＣ：Coder and Decoder）２ｃから構成されている。読取ユニット２ａは、ＭＦＰ１００の内部を示す図３を参照するように、ＦＢＳ（Flat Bed Scanner）として機能する原稿載置台１０１の天面に配設されたプラテンガラス１０２に載置された原稿の画像を読み取って画像データを取得する。画像データ取得部２は、原稿へ光を照射する光源、原稿からの反射光を所定の方向へ導くための複数の反射ミラー、原稿からの反射光を収束する集光レンズ、収束光を電気データに変換して出力するＣＣＤ（Charge Coupled Device）ラインセンサ１０４等を具備して構成される縮小光学系のＣＣＤ読取ユニットとして原稿載置台１０１に内蔵されている。プラテンガラス１０２に対して図示しない駆動機構により水平に往復移動する走査キャリッジ１０３に光源と一部の反射ミラーが配設されている。原稿載置台１０１には、原稿押えカバー１０５が開閉自在に枢支されている。また、図示しないが、プラテンガラス１０２に原稿が載置されたか否かを検知する検知センサを備えている。
【００３３】
読取ユニット２ａは、原稿の画像を読み取るとき、走査キャリッジ１０３がプラテンガラス１０２の下方に位置する待機位置（図３に示す位置）からプラテンガラス１０２に対して水平に移動しながらプラテンガラス１０２に載置された原稿を走査し、該原稿からの反射光をＣＣＤラインセンサ１０４へ導いて結像する。走査キャリッジ１０３がプラテンガラス１０３に沿って水平方向（副走査方向）に走査することにより、ＣＣＤラインセンサ１０４は、原稿の画像を所定間隔を隔てた主走査ライン毎に読み取る。ＣＣＤラインセンサ１０４は、主走査方向（原稿に対する読取方向に垂直な方向）に配置される複数のＣＣＤ素子を有しており、各ＣＣＤ素子により一回の読取処理で読み取る複数の画素データからなるラインデータを主走査ライン毎に取得する。
【００３４】
画像処理回路２ｂは、読取ユニット２ａが取得した原稿の画像データに対して画像処理を行う。具体的には、読取ユニット２ａが原稿の画像を読み取って出力した画像データに対して、シェーディング補正、γ補正、拡大／縮小処理（画素データの補間処理又は間引処理）等の画像処理を必要に応じて行う。
【００３５】
コーデック２ｃは、画像データを符号化（エンコード）・復号（デコード）する。ここでは、画像処理回路２ｂで画像処理が行われた原稿の画像データを必要に応じて符号化し、符号化されている画像データを復号する。
【００３６】
画像データ取得部２は、設定された読取禁止領域以外の原稿の画像を読み取った画像データのみを取得する。具体的には、読取禁止領域内の画像を読み取ることとなる読取ユニット２ａのＣＣＤラインセンサ１０４のＣＣＤ素子を、主走査ライン毎に求めて特定し、当該ＣＣＤ素子を動作させない、又は当該ＣＣＤ素子が出力した画素データを廃棄することにより、読取禁止領域内の画像を読み取った画像データ自体を取得しない。あるいは、読取ユニット２ａによって原稿全体に渡る画像データを一旦取得し、読取禁止領域内の画像を読取ユニット２ａが読み取って取得した画像データに対して画像処理回路２ｂが画像処理を行うことにより、読取禁止領域内の画像を読み取った画像データを取得しない。画像処理回路２ｂは、読取禁止領域内の画像を読み取ってＣＣＤ素子が出力した画素データに対して、白画像や黒画像を表す画素データ又はランダムな画素データに置換する、ノイズを付加する画像処理を行う。なお、読取禁止領域内の画像を「複写禁止、機密」等の所定の画像に置換する画像処理を行ってもよい。
【００３７】
画像メモリ３は、画像データ取得部２から出力された画像データなどの画像データを格納する。具体的には、コーデック２ｃにより符号化された画像データ、画像処理回路２ｂから直接出力された画像データ、ファクシミリ装置２２からファクシミリ受信した画像データ、インターネットファクシミリ装置２４から受信した電子メールに画像ファイルとして添付された画像データ、クライアントＰＣ２６から転送されてきた画像データを格納する。
【００３８】
ＲＦリーダ４は、プラテンガラス１０２に載置された原稿のＲＦＩＤタグから無線通信により情報を読み出すものであり、走査キャリッジ１０３に配設されている。ＲＦリーダ４が発振した電波をＲＦＩＤタグが受信すると、共振作用によりＲＦＩＤタグ内に起電力が発生し、ＲＦＩＤタグは、発生した起電力により予め記憶部に書き込まれた情報を発信する。ＲＦリーダ４は、このようにしてＲＦＩＤタグから発信された情報を受信することにより、記憶部から情報を読み出す。原稿に付設される際に当該原稿に関する情報が書き込まれたＲＦＩＤタグの記憶部からＲＦリーダ４が情報を読み出すことにより、当該原稿に関する情報を得ることができる。
【００３９】
ＲＦリーダ４は、原稿の画像を読取ユニット２ａが読み取る前に、プラテンガラス１０２に載置された原稿のＲＦＩＤタグから情報を読み出す。ＲＦリーダ４は、プラテンガラス１０２に載置された原稿の所定の角部近傍に付設されているＲＦＩＤタグから情報を読み出すことができるように、走査キャリッジ１０３に原稿の幅方向（主走査方向）の端部付近に配設されている。なお、ＲＦリーダ４は、原稿載置台１０１に固定的に配設されるものであってもよい。
【００４０】
形成用画像データ処理部５は、画像メモリ３から読み出した画像データに対してプリント用に編集加工等の処理を行う。形成用画像データ処理部５は、原稿の設定された複写禁止領域内の画像を読み取って画像メモリ３に格納された元画像データに対して所定の処理を行う。すなわち、形成用画像データ処理部５は、画像メモリ３から読み出した画像データのうち、複写禁止領域内の画像を読み取って取得された画像データに対して所定の処理を行うことにより、複写禁止領域内の画像を読み取って取得された正規の画像データが除外された画像データをページメモリ６に格納する。具体的には、形成用画像データ処理部５は、複写禁止領域内の画像を読み取り画像メモリ３に格納された画像データに対して、白画像や黒画像を表す画像データ又はランダムな画像データに置換する、ノイズを付加する、あるいは、「複写禁止、機密」等の所定の画像に置換するなどの画像処理を行う。また、形成用画像データ処理部５は、符号化されている画像データの復号、コピー濃度、拡大／縮小、サイズ変更、枠消去、センター消去、集約（Ｎｉｎ１コピー）、白黒反転等の処理も行う。
【００４１】
ページメモリ６は、画像メモリ３から読み出され、形成用画像データ処理部５にて処理が行われた１ページ分の画像データを格納する。ページメモリ６には、１ページ分の画像データが展開されている。
【００４２】
用紙供給部７は、ＲＦＩＤタグが埋込（漉込）や付着等により付設されている用紙（以下、「タグ付用紙」という。）を画像形成部８に供給する。
【００４３】
ＭＦＰ１００は、その内部を図３に示すように、所定サイズの用紙を収容可能な複数の給紙カセット１０６（１０６ａ及び１０６ｂ）を引出し可能に備えており、必要に応じて用紙を給紙カセット１０６に装填できるようになっている。各給紙カセット１０６に収容された用紙はピックアップローラによって繰り出され、一対の給紙ローラにニップされて画像形成部８へ至る搬送路１０７に繰り込まれる。このような給紙カセット１０６には、それぞれ所定サイズのタグ付用紙が収容される。例えば、給紙カセット１０６ａにＡ４サイズのタグ付用紙が、給紙カセット１０６ｂにＡ３サイズのタグ付用紙が収容される。各給紙カセット１０６から搬送路１０７に繰り込まれた用紙は、複数の搬送ローラ１０８によって搬送路１０７に沿って搬送され、画像形成部８に供給される。搬送路１０７は、各給紙カセット１０６の一端側から延設されて画像形成部８に至り、更に排紙トレイ１０９へ通じるように形成されている。
【００４４】
このような内部構成を備えたＭＦＰ１００において、用紙供給部７は、タグ付用紙を収容する複数の給紙カセット１０６、各給紙カセット１０６ａに付随するピックアップローラや給紙ローラ、及び搬送路１０７や搬送ローラ１０８の一部等からなる。用紙供給部７は、給紙カセット１０６から所定サイズのタグ付用紙を繰り出し、画像形成部８に供給する。また、図示しないが、給紙カセット１０６ａ，１０６ｂはそれぞれタグ付用紙が収容されているか否かを検知する検知センサを備えている。
【００４５】
画像形成部８は、ページメモリ６に展開された画像データに応じた画像を用紙に形成する。画像形成部８は、用紙供給部７により供給されるタグ付用紙に画像を形成する。画像形成部８は、図３に示すように、感光体ドラム１１０、該感光体ドラム１１０の周囲に配設された帯電デバイス、ＬＥＤヘッド、現像器、転写ローラ及びクリーニング器、感光体ドラム１１０の下流側の搬送路１０７に配設された定着器１１１等から構成されている。
【００４６】
感光体ドラム１１０は回転駆動し、その表面は、帯電デバイスにより一定電圧に帯電され、画像データに応じてＬＥＤヘッドにより選択的に露光されて、静電潜像が形成される。感光体ドラム１１０の表面上の静電潜像が現像器により現像され、トナー画像が形成される。感光体ドラム１１０の表面に形成されたトナー画像が転写ローラにより用紙へ転写される。感光体ドラム１１０の表面に残留したトナー等はクリーニング器により除去される。定着器１１１は、搬送路１０７を搬送される用紙に転写されたトナー画像を加熱及び加圧して定着させる。なお、画像形成部８における画像形成方式としては、電子写真方式に限られず、インクジェット記録方式等の各種の画像形成方式を用いることも可能である。画像形成部８にて画像が形成された用紙は、更に搬送路１０７に沿って排紙ローラ１１２まで搬送され、排紙トレイ１０９に排紙される。
【００４７】
ＲＦライタ９は、タグ付用紙のＲＦＩＤタグの記録部に無線通信により情報を書き込む。ＲＦライタ９が発振した電波をＲＦＩＤタグが受信すると、共振作用によりＲＦＩＤタグ内に起電力が発生し、ＲＦＩＤタグは、発生した起電力により受信した情報を記憶部に書き込む。ＲＦライタ９は、画像形成部８により画像が形成されたタグ付用紙のＲＦＩＤタグの記録部に、無線通信によりＲＡＭ１３に格納されている書込情報を書き込む。
【００４８】
操作部１０は、原稿の画像読み取り、複写等の画像記録、送信などの開始を指示するためのスタートキー、複写枚数や送信先番号等を入力するためのテンキー、各種設定や送信先アドレス等を入力するためのカーソルキーやボタンキーなど、表示部１１と連動した各種操作キーを備えている。操作部１０と制御部１の一部が、送信動作や記録動作等の開始指示、読取設定、書込情報を受け付ける受付手段として機能する。
【００４９】
表示部１１は、各種の表示画面、操作部１０から操作入力された設定や数値及びＭＦＰ１００の動作状態などを文字や図形などで表示するＬＣＤ（Liquid Crystal Display：液晶表示装置）などを備えている。なお、ＬＣＤは、タッチパネル式のものであり、操作部１０に代えてこのＬＣＤの画面をユーザが指等により触れることにより各種の操作入力を行うこともできる。
【００５０】
操作部１０及び表示部１１を用いることによりユーザは領域情報を含めた書込情報を操作入力することができる。具体的には、例えば、複写禁止領域情報を操作入力する設定を設定した上で、対角点となる２点の座標を順次入力する、又は予め規定された領域から選択することにより、領域情報を操作入力する。
【００５１】
ＲＯＭ１２は、制御部１によりＭＦＰ１００の各部の動作が制御されるための各種プログラムを格納している。
【００５２】
ＲＡＭ１３は、制御部１の主メモリ、ワークエリア等として機能するものであり、受信した画像データに関する各種データ、ＭＦＰ１００の各部の処理動作に用いる設定情報や動作情報等の各種データを読み出し及び書き込み可能な状態で格納している。ＲＡＭ１３が格納している設定情報には、領域情報が含まれる。また、読取解像度に応じた主走査ライン間隔やＣＣＤラインセンサ１０４のＣＣＤ素子位置（間隔）もＲＡＭ１３に格納されるている。領域情報はユーザが操作部１０から入力することにより、又はクライアントＰＣ２６から入力されることにより変更可能であり、ＲＡＭ１３に格納されている領域情報を主走査ライン間隔やＣＣＤラインセンサ１０４のＣＣＤ素子位置と合わせて読み出すことにより、読取禁止領域や複写禁止領域の設定がなされる。また、ＲＡＭ１３には、ＲＦリーダ４が読み出した情報や、ＲＦライタ９が書き込むべき書込情報が格納される。書込情報はユーザが操作部１０から入力することにより、又はクライアントＰＣ２６から入力されることにより変更可能であり、書込情報がＲＡＭ１３に格納される。
【００５３】
モデム１４は、例えばＩＴＵ−Ｔ（国際電気通信連合電気通信標準化部門）の勧告Ｖ．３４規格又はこれと同様のものに従った送受信データの変調及び復調を行う。ＮＣＵ１７は、電話回線を制御して電話をかけたり切ったりする回線網制御装置であり、ＰＳＴＮ２１を介して、ファクシミリ装置２２と通信可能に接続されている。
【００５４】
ＬＡＮ Ｉ／Ｆ１６は、ＬＡＮ２５とＭＦＰ１００とを通信可能に接続する。このＬＡＮ２５には、メールサーバ２７とルータ２８が接続されるとともに、ルータ２８及びインターネット２３を介してインターネットファクシミリ装置２４が接続されている。また、ＬＡＮ２５には、複数台のクライアントＰＣ２６が接続されており、クライアントＰＣ２６からＭＦＰ１００が有する各種機能を利用することができるようになっている。このクライアントＰＣ２６は、領域情報を含めた書込情報を操作入力することが可能な操作部及び表示部を備える。
【００５５】
以下、原稿の画像を読み取る場合に、ＭＦＰ１００において行われる処理動作について、図４に示すフローチャートに基づいて説明する。なお、以下のフローチャートに基づいて説明するＭＦＰ１００の処理動作は、ＲＯＭ１２に格納されているプログラムに基づいて制御部１が発行する命令に従って行われる。
【００５６】
まず、プラテンガラス１０２に原稿が載置され、原稿の読み取り開始指示があったか否かを判断する（Ｓ１）。具体的には、プラテンガラス１０２に原稿が載置されたことを前記検知センサが検知し、かつ操作部１０のスタートキーが押下された場合等に、原稿の読み取り開始指示があったと判断する。ここで、原稿の読み取り開始指示がないと判断した場合（Ｓ１：ＮＯ）、待機状態となる。原稿の読み取り開始指示があったと判断した場合（Ｓ１：ＹＥＳ）、ＲＦリーダ４によりプラテンガラス１０２に載置された原稿からＲＦＩＤタグを検出する（Ｓ２）。
【００５７】
原稿からＲＦＩＤタグを検出した場合（Ｓ２：ＹＥＳ）、ＲＦリーダ４によりＲＦＩＤタグの記憶部に書き込まれた情報を読み出し、読み出した情報に読取禁止領域情報又は読取許可領域情報が含まれているか否かを判断する（Ｓ３）。読取禁止領域情報又は読取許可領域情報が含まれていると判断した場合（Ｓ３：ＹＥＳ）、読取禁止領域を設定する（Ｓ４）。具体的には、読取禁止領域情報が含まれていると判断した場合、読取禁止領域情報が示す領域を読取禁止領域として設定する。一方、読取許可領域情報が含まれていると判断した場合、原稿サイズに基づく領域から読取許可領域情報が示す領域を除外して読取禁止領域を設定する。ここで、原稿サイズは、原稿のＲＦＩＤタグから原稿サイズ情報を読み出した場合には、当該原稿サイズ情報が示す原稿サイズに基づき取得し、原稿のＲＦＩＤタグから読み出した情報に原稿サイズ情報が含まれていない場合には、読取ユニッ２ａによるプレスキャンにより原稿サイズを取得する。なお、原稿サイズを取得しないものであってもよい。
【００５８】
次いで（Ｓ２：ＮＯ後、Ｓ３：ＮＯ後、又はＳ４後）、原稿の画像読み取りを開始する（Ｓ５）。原稿の画像を読み取る領域が読取禁止領域内でない場合（Ｓ６：ＮＯ）、画像を読み取って取得した画像データを画像メモリ３に格納する（Ｓ７）。具体的には、当該領域の画像を読取ユニット２ａが読み取って出力した画像データを、すなわち、当該領域の画像を読み取ったＣＣＤラインセンサ１０４のＣＣＤ素子から出力される画素データを、画像処理回路２ｂにて所定の処理を行い、必要に応じてコーデック２ｃにより符号化し、画像メモリ３に格納する。
【００５９】
一方、原稿の画像を読み取る領域が読取禁止領域内である場合（Ｓ６：ＹＥＳ）、画像を読み取って画像データを取得しない、又は画像を読み取って取得した画像データを廃棄し、当該領域の画像データとして置換する所定の画像データを画像メモリ３に格納する（Ｓ８）。具体的には、当該領域の画像を読取ユニット２ａが読み取らない。すなわち、当該領域の画像を読み取るべきＣＣＤラインセンサ１０４のＣＣＤ素子を動作させない、又は該ＣＣＤ素子から出力される画素データを画像処理回路２ｂが受け取らない。あるいは、読取ユニット２ａが読み取って取得した画像データを画像処理回路２ｂが所定の画像データに置換して出力する。すなわち、当該領域の画像を読み取ったＣＣＤラインセンサ１０４のＣＣＤ素子が出力した画素データを、白色や黒色の画像を示す画素データに一意的に画像処理回路２ｂにて置換して出力する。又は、該ＣＣＤ素子が出力した画素データに任意のノイズを付加して出力する。そして、必要に応じてコーデック２ｃにより符号化し、画像メモリ３に格納する。
【００６０】
次いで（Ｓ７後、又はＳ８後）、原稿の画像読み取りが終了したか否かを判断する（Ｓ９）。具体的には、原稿サイズの領域の読み取りを終了したか否かに基づいて判断する。原稿の画像読み取りが終了しないと判断した場合（Ｓ９：ＮＯ）、画像の読み取りを続行する（Ｓ６）。他方、原稿の画像読み取りを終了したと判断した場合（Ｓ９：ＹＥＳ）、必要に応じて、画像メモリ３に格納された画像データを用いて、複写、送信等の処理を行って終了する。
【００６１】
以上説明したように、このＭＦＰ１００によれば、ＲＦリーダ４が原稿のＲＦＩＤタグから読取禁止領域情報を読み出した場合、読取禁止領域情報が示す領域以外の原稿の画像を読み取った画像データのみを取得する。また、ＲＦリーダ４が原稿のＲＦＩＤタグから読取許可領域情報を読み出した場合、読取許可領域情報が示す領域の原稿の画像を読み取った画像データのみを取得する。そのため、読み取りが禁止される部分的な原稿の領域に形成された画像を読み取った画像データを自動的にかつ確実に取得しない。よって、秘密管理を必要とする原稿の部分的な領域に形成された画像の漏洩を防止し、セキュリティの強化を柔軟に図ることが可能となる。
【００６２】
以下、原稿の画像を複写する場合に、ＭＦＰ１００において行われる処理動作について、図５及び図６に示すフローチャートに基づいて説明する。なお、以下のフローチャートに基づいて説明するＭＦＰ１００の処理動作は、ＲＯＭ１２に格納されているプログラムに基づいて制御部１が発行する命令に従って行われる。
【００６３】
まず、プラテンガラス１０２に原稿が載置され、原稿の複写開始指示があったか否かを判断する（Ｓ１１）。具体的には、プラテンガラス１０２に原稿が載置されたことを前記検知センサが検知し、かつ操作部１０にて複写が設定されてスタートキーが押下された場合等に、原稿の複写開始指示があったと判断する。ここで、原稿の複写開始指示がないと判断した場合（Ｓ１１：ＮＯ）、待機状態となる。原稿の複写開始指示があったと判断した場合（Ｓ１１：ＹＥＳ）、走査キャリッジ１０３を移動させながら、プラテンガラス１０２に載置された原稿に対して、画像データ取得部２により画像を読み取って画像データを取得し、取得した画像データを画像メモリ３に格納する（Ｓ１２）。そして、ＲＦリーダ４により原稿からＲＦＩＤタグを検出する（Ｓ１３）。
【００６４】
原稿からＲＦＩＤタグを検出した場合（Ｓ１３：ＹＥＳ）、ＲＦリーダ４によりＲＦＩＤタグの記憶部に書き込まれた情報を読み出し、読み出した情報に複写禁止領域情報又は複写許可領域情報が含まれているか否かを判断する（Ｓ１４）。複写禁止領域情報又は複写許可領域情報が含まれていると判断した場合（Ｓ１４：ＹＥＳ）、複写禁止領域を設定する（Ｓ１５）。具体的には、複写禁止領域情報が含まれていると判断した場合、複写禁止領域情報が示す領域を複写禁止領域として設定する。一方、複写許可領域情報が含まれていると判断した場合、原稿サイズに基づく領域から複写許可領域情報が示す領域を除外して複写禁止領域を設定する。ここで、原稿サイズは、原稿のＲＦＩＤタグから原稿サイズ情報を読み出した場合には、当該原稿サイズ情報が示す原稿サイズに基づき取得し、原稿のＲＦＩＤタグから読み出した情報に原稿サイズ情報が含まれていない場合には、画像データ取得部２が取得した画像データに基づき原稿サイズを取得する。
【００６５】
次いで（Ｓ１３：ＮＯ後、Ｓ１４：ＮＯ後、又はＳ１５後）、画像メモリ３から画像データを読み出し、形成用画像データ処理部５により画像データの編集加工を開始する（Ｓ１６）。画像データを読み取った領域が複写禁止領域内でない場合（Ｓ１７：ＮＯ）、画像メモリ３から読み出した画像データをページメモリ６に格納する（Ｓ１８）。
【００６６】
一方、画像データを読み取った領域が複写禁止領域内である場合（Ｓ１７：ＹＥＳ）、画像メモリ３から読み出した画像データを所定の画像データに置換してページメモリ６に格納する（Ｓ１９）。具体的には、複写禁止領域内の画像を読み取って画像メモリ３に格納された画像データを画像メモリ３から読み出し、白色や黒色の画像を示す画像データに一意的に置換してページメモリ６に格納する。なお、読み出した画像データに任意のノイズを付加してもよい。
【００６７】
そして、画像メモリ３から読み出した画像データの編集加工処理が終了したか否かを判断する（Ｓ２０）。具体的には、１ページ分の画像データを画像メモリ３から全て読み出したか否かに基づいて判断する。画像データの編集加工処理が終了していないと判断した場合（Ｓ２０：ＮＯ）、画像データの編集加工処理を続行する。他方、画像データの編集加工処理を終了したと判断した場合（Ｓ２０：ＹＥＳ）、ページメモリ６に格納された画像データに応じた画像を、用紙供給部７から供給されるタグ付用紙に画像形成部８により形成し（Ｓ２１）、終了する。なお、原稿のＲＦＩＤタグからＲＦリーダ４が読み出した情報等を、画像が形成されたタグ付用紙のＲＦＩＤタグにＲＦライタ９が書き込むものであってもよい。また、ページメモリ６に格納された画像データに応じた画像を、ＲＦＩＤタグが付設されていない用紙に画像形成部８により形成するものであってもよい。
【００６８】
以上説明したように、このＭＦＰ１００によれば、ＲＦリーダ４が原稿のＲＦＩＤタグから複写禁止領域情報を読み出した場合、複写禁止領域情報が示す領域以外の原稿の画像を読み取って取得した画像データに基づく画像のみを用紙に形成する。また、ＲＦリーダ４が原稿のＲＦＩＤタグから複写許可領域情報を読み出した場合、複写許可領域情報が示す領域の原稿の画像を読み取って取得した画像データに基づく画像のみを用紙に形成する。そのため、複写が禁止される部分的な原稿の領域に形成された画像を読み取って取得した画像データに基づく画像を自動的にかつ確実に用紙に形成しない。よって、秘密管理を必要とする原稿の部分的な領域に形成された画像の漏洩を防止し、セキュリティの強化を柔軟に図ることが可能となる。
【００６９】
以下、用紙に画像を形成する場合、ＭＦＰ１００において行われる処理動作について、図７に示すフローチャートに基づいて説明する。なお、以下のフローチャートに基づいて説明するＭＦＰ１００の処理動作は、ＲＯＭ１２に格納されているプログラムに基づいて制御部１が発行する命令に従って行われる。
【００７０】
まず、画像形成の開始指示があったか否かを判断する（Ｓ３１）。具体的には、操作部１０にて画像形成設定の入力がなされスタートキーが押下された場合、ファクシミリ装置２２又はインターネットファクシミリ装置２４から画像データを受信した場合、クライアントＰＣ２６から画像を記録すべきジョブが転送されてきた場合等に、画像形成の開始指示があったと判断する。ここで、画像形成の開始指示がないと判断した場合（Ｓ３１：ＮＯ）、待機状態となる。逆に、画像形成の開始指示があったと判断した場合（Ｓ３１：ＹＥＳ）、用紙供給部７から供給される用紙に画像形成部８により画像を形成する（Ｓ３２）。
【００７１】
そして、タグ書込設定が設定されているか否かを判断する（Ｓ３３）。タグ書込設定が設定されていないと判断した場合（Ｓ３３：ＮＯ）、終了する。逆に、タグ書込設定が設定されていると判断した場合（Ｓ３３：ＹＥＳ）、画像が形成された用紙に付設されているＲＦＩＤタグにＲＦライタ９により書込情報を書き込み（Ｓ３４）、終了する。なお、書込情報を操作入力する旨を表示部１１に表示してもよい。具体的には、表示部１１のＬＣＤに「原稿のタグに書き込む情報を入力して下さい」など、ユーザに情報の操作入力を促す旨のメッセージを表示する。また、図示しないスピーカ等により警告音を発生させてもよい。
【００７２】
以上説明したように、このＭＦＰ１００によれば、画像形成部８が用紙に画像を形成するとともに、当該用紙に形成された画像の部分的な読み取りが禁止又は許可される領域を示す領域情報を当該用紙に付設されているＲＦＩＤタグにＲＦライタ９が書き込むことができる。従って、秘密管理を必要とする用紙の部分的な領域に形成された画像の漏洩を防止し、セキュリティの強化を柔軟に図ることが可能となる用紙（原稿）を容易に作成することが可能となる。
【００７３】
なお、本実施の形態で示したＭＦＰ１００は、本発明に係る通信端末装置及び画像記録装置の一態様にすぎず、本発明の要旨を逸脱しない範囲内で種々の変形実施が可能である。例えば、原稿の画像を読み取って画像データを取得する前にＲＦリーダ４がＲＦＩＤタグから情報を読み出す場合の例を示したが、画像データを取得しながら又は取得した後に、ＲＦリーダ４が情報を読み出すものであってもよい。この場合、ＲＦリーダ４が読取禁止領域情報又は読取許可領域情報を読み出したとき、画像データ取得部２が原稿の全ての画像を読み取って取得した画像データを一旦画像メモリ３に格納し、その後、画像メモリ３に格納された画像データに対して処理を行うものとすればよい。また、複写禁止領域が設定されているとき、読取禁止領域が設定されているときと同様に画像データに対する処理を行うものであってもよい。
【００７４】
また、プラテンガラス１０２に載置された原稿の画像を読み取り、複写する場合の例を示したが、原稿トレイに載置された原稿を搬送路に沿って搬送する自動原稿搬送手段（ＡＤＦ）を備え、自動原稿搬送手段によって搬送される原稿の画像を読み取り、複写するものであってもよい。
【００７５】
また、画像が記録された後の用紙に付設されているＲＦＩＤタグに書込情報を書き込む場合の例を示したが、画像が記録される前の用紙に付設されているＲＦＩＤタグに書込情報を書き込むものであってもよい。また、用紙に付設された後のＲＦＩＤタグに書込情報を書き込む場合の例を示したが、用紙に付設される前のＲＦＩＤタグに書込情報を書き込むものであってもよい。また、画像が記録された後の用紙にＲＦＩＤタグを付設する場合の例を示したが、画像が記録される前の用紙にＲＦＩＤタグを付設するものであってもよい。
【００７６】
さらに、実施の形態では、画像読取装置、画像読取形成装置及び画像形成装置をＭＦＰ１００として実施した態様を説明したが、ＭＦＰ１００に限定されず、画像読取装置、画像読取形成装置、又は画像形成装置としてのみ、又はこれらが任意に複合して機能する、複写機、ファクシミリ機、スキャナ、及びこれらの複合機に適用可能である。
【図面の簡単な説明】
【００７７】
【図１】本発明の実施の形態に係る用紙Ｓを説明する図である。
【図２】本発明の実施の形態に係るＭＦＰ１００の構成例を示したブロック図である。
【図３】ＭＦＰ１００の内部について説明するための概略断面図である。
【図４】原稿の画像を読み取る場合に、ＭＦＰ１００において行われる処理動作を示すフローチャートである。
【図５】原稿の画像を複写する場合に、ＭＦＰ１００において行われる処理動作を示すフローチャートである。
【図６】原稿の画像を複写する場合に、ＭＦＰ１００において行われる処理動作を示すフローチャートである。
【図７】用紙に画像を形成する場合に、ＭＦＰ１００において行われる処理動作を示すフローチャートである。
【符号の説明】
【００７８】
１  制御部
２  画像データ取得部（画像データ取得手段）
３  画像メモリ
４  ＲＦリーダ（読出手段）
５  形成用画像データ処理部
６  ページメモリ
８  画像形成部（画像形成手段）
９  ＲＦライタ（書込手段）
１０  操作部
１１  表示部
１２  ＲＯＭ
１３  ＲＡＭ
１００  ＭＦＰ（画像読取装置、画像読取形成装置、画像形成装置）
Ｓ  用紙
【図１】
2007311982.tif 000003
【図２】
2007311982.tif 000004
【図３】
2007311982.tif 000005
【図４】
2007311982.tif 000006
【図５】
2007311982.tif 000007
【図６】
2007311982.tif 000008
【図７】
2007311982.tif 000009